(57)【要約】  本発明に係る移動通信方法は、下りリンク用共有リソースを用いて、無線基地局ｅＮＢから、連続受信周期で動作中の移動局ＵＥに対して下りリンクデータ信号が送信された場合に、第１のタイマを起動する工程Ａと、第１のタイマの起動後に下りリンクデータ信号が送信されることなく第１のタイマが満了した場合に、移動局ＵＥの受信周期を、連続受信周期から第１の間欠受信周期に変更すると共に、上りリンク用個別リソースを解放する工程Ｂとを有する。
2008133307.tif 000002
【特許請求の範囲】
【請求項１】
移動局が、上りリンク用個別リソースを用いて無線基地局に対して制御信号を送信する移動通信方法であって、
前記無線基地局から、連続受信周期で動作中の前記移動局に対して下りリンクデータ信号が送信された場合に、第１のタイマを起動する工程Ａと、
前記第１のタイマの起動後に下りリンクデータ信号が送信されることなく前記第１のタイマが満了した場合に、前記移動局の受信周期を前記連続受信周期から第１の間欠受信周期に変更すると共に、前記上りリンク用個別リソースを解放する工程Ｂとを有することを特徴とする移動通信方法。
【請求項２】
前記第１のタイマは、前記無線基地局及び前記移動局に設けられており、
前記工程Ｂにおいて、前記第１のタイマの起動後に下りリンクデータ信号が送信されることなく前記第１のタイマが満了した場合に、前記無線基地局及び前記移動局が、それぞれ前記上りリンク用個別リソースを解放することを特徴とする請求項１に記載の移動通信方法。
【請求項３】
前記第１のタイマは、前記無線基地局に設けられており、
前記工程Ｂにおいて、  
前記第１のタイマの起動後に下りリンクデータ信号が送信されることなく前記第１のタイマが満了した場合に、前記無線基地局が、前記上りリンク用個別リソースを解放すると共に、前記上りリンク用個別リソースを解放するように指示する上りリンク用個別リソース解放信号を送信し、
前記移動局が、前記上りリンク用個別リソース解放信号に応じて、前記上りリンク用個別リソースを解放することを特徴とする請求項１に記載の移動通信方法。
【請求項４】
移動局が、上りリンク用個別リソースを用いて無線基地局に対して制御信号を送信する移動通信方法であって、
前記移動局の受信周期が、連続受信周期から第１の間欠受信周期に変更された場合に、第２のタイマを起動する工程Ａと、
前記第２のタイマの起動後に下りリンクデータ信号が送信されることなく前記第２のタイマが満了した場合に、前記移動局の受信周期を、前記第１の間欠受信周期から前記第１の間欠受信周期よりも長い第２の間欠受信周期に変更すると共に、前記上りリンク用個別リソースを解放する工程Ｂとを有することを特徴とする移動通信方法。
【請求項５】
前記第２のタイマは、前記無線基地局及び前記移動局に設けられており、
前記工程Ｂにおいて、前記第２のタイマの起動後に下りリンクデータ信号が送信されることなく前記第２のタイマが満了した場合に、前記無線基地局及び前記移動局が、それぞれ前記上りリンク用個別リソースを解放することを特徴とする請求項４に記載の移動通信方法。
【請求項６】
前記第２のタイマは、前記無線基地局に設けられており、
前記工程Ｂにおいて、  
前記第２のタイマの起動後に下りリンクデータ信号が送信されることなく前記第２のタイマが満了した場合に、前記無線基地局が、前記上りリンク用個別リソースを解放すると共に、前記上りリンク用個別リソースを解放するように指示する上りリンク用個別リソース解放信号を送信し、
前記移動局が、前記上りリンク用個別リソース解放信号に応じて、前記上りリンク用個別リソースを解放することを特徴とする請求項４に記載の移動通信方法。                                                
【請求項７】
上りリンク用個別リソースを用いて移動局からの制御信号を受信する無線基地局であって、
連続受信周期で動作中の前記移動局に対して下りリンクデータ信号を送信した場合に、第１のタイマを起動し、
前記第１のタイマの起動後に下りリンクデータ信号を送信することなく前記第１のタイマが満了した場合に、前記移動局の受信周期を前記連続受信周期から第１の間欠受信周期に変更すると共に、前記上りリンク用個別リソースを解放するように構成されていることを特徴とする無線基地局。
【請求項８】
前記第１のタイマの起動後に下りリンクデータ信号を送信することなく前記第１のタイマが満了した場合に、前記上りリンク用個別リソースを解放すると共に、前記移動局に対して、前記上りリンク用個別リソースを解放するように指示する上りリンク用個別リソース解放信号を送信するように構成されていることを特徴とする請求項７に記載の無線基地局。
【請求項９】
上りリンク用個別リソースを用いて移動局からの制御信号を受信する無線基地局であって、
前記移動局の受信周期が、連続受信周期から第１の間欠受信周期に変更された場合に、第２のタイマを起動し、  
前記第２のタイマの起動後に下りリンクデータ信号を送信することなく前記第２のタイマが満了した場合に、前記移動局の受信周期を、前記第１の間欠受信周期から前記第１の間欠受信周期よりも長い第２の間欠受信周期に変更すると共に、前記上りリンク用個別リソースを解放するように構成されていることを特徴とする無線基地局。
【請求項１０】
前記第２のタイマの起動後に下りリンクデータ信号を送信することなく前記第２のタイマが満了した場合に、前記上りリンク用個別リソースを解放すると共に、前記移動局に対して、前記上りリンク用個別リソースを解放するように指示する上りリンク用個別リソース解放信号を送信するように構成されていることを特徴とする請求項９に記載の無線基地局。
【請求項１１】
上りリンク用個別リソースを用いて無線基地局に対して制御信号を送信する移動局であって、
連続受信周期で動作中である場合で、かつ、下りリンクデータ信号を受信した場合に、第１のタイマを起動し、
前記第１のタイマの起動後に下りリンクデータ信号を受信することなく前記第１のタイマが満了した場合に、前記移動局の受信周期を前記連続受信周期から第１の間欠受信周期に変更すると共に、前記上りリンク用個別リソースを解放するように構成されていることを特徴とする移動局。
【請求項１２】
前記連続受信周期で動作中である場合に、前記無線基地局から、前記移動局に対して前記上りリンク用個別リソースを解放するように指示する上りリンク用個別リソース解放信号を受信し、
前記第１のタイマの起動後に下りリンクデータ信号を受信することなく前記第１のタイマが満了した場合に、前記移動局の受信周期を前記連続受信周期から前記第１の間欠受信周期に変更し、
受信した前記上りリンク用個別リソース解放信号に応じて、前記上りリンク用個別リソースを解放するように構成されていることを特徴とする請求項１１に記載の移動局。
【請求項１３】
上りリンク用個別リソースを用いて無線基地局に対して制御信号を送信する移動局であって、
前記移動局の受信周期が、連続受信周期から第１の間欠受信周期に変更された場合に、第２のタイマを起動し、
前記第２のタイマの起動後に下りリンクデータ信号を受信することなく前記第２のタイマが満了した場合に、前記移動局の受信周期を、前記第１の間欠受信周期から前記第１の間欠受信周期よりも長い第２の間欠受信周期に変更すると共に、前記上りリンク用個別リソースを解放するように構成されていることを特徴とする移動局。
【請求項１４】
前記第１の間欠受信周期で動作中である場合に、前記無線基地局から、前記移動局に対して前記上りリンク用個別リソースを解放するように指示する上りリンク用個別リソース解放信号を受信し、
前記第２のタイマの起動後に下りリンクデータ信号を受信することなく前記第２のタイマが満了した場合に、前記移動局の受信周期を、前記第１の間欠受信周期から前記第２の間欠受信周期に変更し、
受信した前記上りリンク用個別リソース解放信号に応じて、前記上りリンク用個別リソースを解放するように構成されていることを特徴とする請求項１３に記載の移動局。
【請求項１５】
上りリンク用個別リソースを用いて送信する制御信号を生成するプロセッサであって、
連続受信周期で動作中である場合で、かつ、下りリンクデータ信号を受信した場合に、第１のタイマを起動し、
前記第１のタイマの起動後に下りリンクデータ信号を受信することなく前記第１のタイマが満了した場合に、下りリンクデータ信号の受信周期を前記連続受信周期から第１の間欠受信周期に変更すると共に、前記上りリンク用個別リソースを解放するように構成されていることを特徴とするプロセッサ。
【請求項１６】
前記連続受信周期で動作中である場合に、前記上りリンク用個別リソースを解放するように指示する上りリンク用個別リソース解放信号を受信し、
前記第１のタイマの起動後に下りリンクデータ信号を受信することなく前記第１のタイマが満了した場合に、前記受信周期を前記連続受信周期から前記第１の間欠受信周期に変更し、
受信した前記上りリンク用個別リソース解放信号に応じて、前記上りリンク用個別リソースを解放するように構成されていることを特徴とする請求項１５に記載のプロセッサ。
【請求項１７】
上りリンク用個別リソースを用いて送信する制御信号を生成するプロセッサであって、
下りリンクデータ信号の受信周期が、連続受信周期から第１の間欠受信周期に変更された場合に、第２のタイマを起動し、
前記第２のタイマの起動後に下りリンクデータ信号を受信することなく前記第２のタイマが満了した場合に、前記受信周期を前記第１の間欠受信周期から前記第１の間欠受信周期よりも長い第２の間欠受信周期に変更すると共に、前記上りリンク用個別リソースを解放するように構成されていることを特徴とするプロセッサ。
【請求項１８】
前記第１の間欠受信周期で動作中である場合に、前記上りリンク用個別リソースを解放するように指示する上りリンク用個別リソース解放信号を受信し、
前記第２のタイマの起動後に下りリンクデータ信号を受信することなく前記第２のタイマが満了した場合に、前記受信周期を前記第１の間欠受信周期から前記第２の間欠受信周期に変更し、
受信した前記上りリンク用個別リソース解放信号に応じて、前記上りリンク用個別リソースを解放するように構成されていることを特徴とする請求項１７に記載のプロセッサ。
【発明の詳細な説明】
【技術分野】
【０００１】
本発明は、移動局が、上りリンク用個別リソースを用いて無線基地局に対して制御信号を送信する移動通信方法、無線基地局、移動局及びプロセッサに関する。
【背景技術】
【０００２】
近年、３ＧＰＰで標準化が進められている「ＬＴＥ（Ｌｏｎｇ  Ｔｅｒｍ  Ｅｖｏｌｕｔｉｏｎ）」等の無線アクセス方式では、無線基地局ｅＮＢにおける各移動局ＵＥからの信号の受信タイミング差が一定（無線サブフレーム内の各情報シンボルに付与されるＣｙｃｌｉｃ  ｐｒｅｆｉｘ長）以内であれば、各移動局ＵＥからの信号が直交するように構成されている。【０００３】
このため、各移動局ＵＥからの信号の直交性を保つために、すなわち、無線基地局ｅＮＢにおける各移動局ＵＥからの信号の受信タイミング差を一定以内とするために、無線基地局ｅＮＢは、各移動局ＵＥからの信号の受信タイミングの基準受信タイミングからのオフセットを測定し、測定したオフセットを各移動局ＵＥに通知することによって、各移動局ＵＥにおける信号の送信タイミングを補正する必要がある。【０００４】
図１に、かかる動作の一例について説明する。図１に示すように、ステップＳ１００１において、移動局ＵＥが、無線基地局ｅＮＢとの間で設定されている上りリンク用個別リソース（例えば、ＰＵＣＣＨ：Ｐｈｙｓｉｃａｌ  Ｕｐｌｉｎ  Ｃｏｎｔｒｏｌ  Ｃｈａｎｎｅｌ）を用いて、制御信号（Ｓｏｕｎｄｉｎｇ  Ｒｅｆｅｒｅｎｃｅ  Ｓｉｇｎａｌや、ＣＱＩ情報や、Ｓｃｈｅｄｕｌｉｎｇ  Ｒｅｑｕｅｓｔ）を送信する（非特許文献１参照）。【０００５】
ステップＳ１００２において、無線基地局ｅＮＢが、受信した制御信号の受信タイミングの基準受信タイミングからのオフセットを測定する。【０００６】
ステップＳ１００３において、無線基地局ｅＮＢが、移動局ＵＥに対して、ＭＡＣ-ｃｏｎｔｒｏｌ-ＰＣＵとして、かかる測定結果を通知するためのＴＡ（Ｔｉｍｉｎｇ  Ａｄｖａｎｃｅ）コマンドを送信する。【０００７】
ステップＳ１００４において、移動局ＵＥが、受信したＴＡコマンドによって通知された測定結果に応じて、上りリンクデータ信号の送信タイミングを調整する。【０００８】
また、ＬＴＥ等の無線アクセス方式において、移動局ＵＥにおける消費電力を節約するために、ＤＲＸ（Ｄｉｓｃｏｎｔｉｎｕｏｕｓ  Ｒｅｃｅｐｔｉｏｎ：間欠受信）技術が用いられるように構成されている。【０００９】
具体的には、図２に示すように、かかる無線アクセス方式では、Ｔ０ において、下りリンク用共有リソースを用いて、無線基地局ｅＮＢから、連続受信（Ｃｏｎｔｉｎｕｏｕｓ  Ｒｅｃｅｐｔｉｏｎ）周期で動作中の移動局ＵＥに対して下りリンクデータ信号が送信された場合に、Ｉｎａｃｔｉｖｅタイマ（第１のタイマ）を起動され、Ｔ１ において、Ｉｎａｃｔｉｖｅタイマの起動後に下りリンクデータ信号が送信されることなくＩｎａｃｔｉｖｅタイマが満了した場合に、当該移動局ＵＥの受信周期を、連続受信周期からＤＲＸ周期に変更するように構成されている。
【非特許文献１】３ＧＰＰ  ＴＳＧ  ＲＡＮ  ＷＧ１  Ｍｅｅｔｉｎｇ  ＃４７ｂｉｓ  Ｒ１-０７０１０６、２００７年１月１５日
【発明の開示】
【００１０】
しかしながら、図３（ａ）のように、移動局ＵＥにおける受信周期が、連続受信周期である場合には、当該移動局ＵＥは、無線基地局ｅＮＢから送信されたＴＡコマンドを常時受信することができるが、図３（ｂ）のように、当該移動局ＵＥにおける受信周期が、ＤＲＸ周期に変更されている場合には、当該移動局ＵＥは、非受信期間（下りリンクデータ信号を受信しないように規定されている期間）において、無線基地局ｅＮＢから送信されたＴＡコマンドを受信することができない。
【００１１】
したがって、非受信期間中に、上りリンクにおける同期外れ状態が発生しているにも関らず、当該移動局ＵＥは、かかる状態を検出して、上りリンクデータ信号の送信タイミングを調整することができない。
【００１２】
その結果、当該移動局ＵＥは、無線基地局ｅＮＢとの間で設定されている上りリンク用共有リソース（例えば、ＵＬ-ＳＣＨ：Ｕｐｌｉｎｋ  Ｓｈａｒｅｄ  Ｃｈａｎｎｅｌ）を用いて、上りリンクデータ信号（例えば、ＨＡＲＱプロセスにおける送達確認情報であるＡＣＫ/ＮＡＣＫ）を送信してしまい、他の移動局ＵＥにより送信される信号に対する干渉源となってしまうという問題点があった。
【００１３】
そこで、本発明は、上述の課題に鑑みてなされたものであり、移動局においてＤＲＸ技術が用いられる場合であっても、他の移動局により送信される信号に対して干渉源となることを回避することができる移動通信方法、無線基地局、移動局及びプロセッサを提供することを目的とする。
【００１４】
本発明の第１の特徴は、移動局が、上りリンク用個別リソースを用いて無線基地局に対して制御信号を送信する移動通信方法であって、前記無線基地局から、連続受信周期で動作中の前記移動局に対して下りリンクデータ信号が送信された場合に、第１のタイマを起動する工程Ａと、前記第１のタイマの起動後に下りリンクデータ信号が送信されることなく前記第１のタイマが満了した場合に、前記移動局の受信周期を前記連続受信周期から第１の間欠受信周期に変更すると共に、前記上りリンク用個別リソースを解放する工程Ｂとを有することを要旨とする。
【００１５】
本発明の第１の特徴において、前記第１のタイマは、前記無線基地局及び前記移動局に設けられており、前記工程Ｂにおいて、前記第１のタイマの起動後に下りリンクデータ信号が送信されることなく前記第１のタイマが満了した場合に、前記無線基地局及び前記移動局が、それぞれ前記上りリンク用個別リソースを解放してもよい。
【００１６】
本発明の第１の特徴において、前記第１のタイマは、前記無線基地局に設けられており、前記工程Ｂにおいて、前記第１のタイマの起動後に下りリンクデータ信号が送信されることなく前記第１のタイマが満了した場合に、前記無線基地局が、前記上りリンク用個別リソースを解放すると共に、前記上りリンク用個別リソースを解放するように指示する上りリンク用個別リソース解放信号を送信し、前記移動局が、前記上りリンク用個別リソース解放信号に応じて、前記上りリンク用個別リソースを解放してもよい。
【００１７】
本発明の第２の特徴は、移動局が、上りリンク用個別リソースを用いて無線基地局に対して制御信号を送信する移動通信方法であって、前記移動局の受信周期が、連続受信周期から第１の間欠受信周期に変更された場合に、第２のタイマを起動する工程Ａと、前記第２のタイマの起動後に下りリンクデータ信号が送信されることなく前記第２のタイマが満了した場合に、前記移動局の受信周期を前記第１の間欠受信周期から第２の間欠受信周期に変更すると共に、前記上りリンク用個別リソースを解放する工程Ｂとを有し、前記第１の間欠受信周期よりも、前記第２の間欠受信周期の方が長いことを要旨とする。
【００１８】
本発明の第２の特徴において、前記第２のタイマは、前記無線基地局及び前記移動局に設けられており、前記工程Ｂにおいて、前記第２のタイマの起動後に下りリンクデータ信号が送信されることなく前記第２のタイマが満了した場合に、前記無線基地局及び前記移動局が、それぞれ前記上りリンク用個別リソースを解放してもよい。
【００１９】
本発明の第２の特徴において、前記第２のタイマは、前記無線基地局に設けられており、前記工程Ｂにおいて、前記第２のタイマの起動後に下りリンクデータ信号が送信されることなく前記第２のタイマが満了した場合に、前記無線基地局が、前記上りリンク用個別リソースを解放すると共に、前記上りリンク用個別リソースを解放するように指示する上りリンク用個別リソース解放信号を送信し、前記移動局が、前記上りリンク用個別リソース解放信号に応じて、前記上りリンク用個別リソースを解放してもよい。
【００２０】
本発明の第３の特徴は、上りリンク用個別リソースを用いて移動局からの制御信号を受信する無線基地局であって、連続受信周期で動作中の前記移動局に対して下りリンクデータ信号を送信した場合に、第１のタイマを起動し、前記第１のタイマの起動後に下りリンクデータ信号を送信することなく前記第１のタイマが満了した場合に、前記移動局の受信周期を前記連続受信周期から第１の間欠受信周期に変更すると共に、前記上りリンク用個別リソースを解放するように構成されていることを要旨とする。
【００２１】
本発明の第３の特徴において、前記無線基地局は、前記第１のタイマの起動後に下りリンクデータ信号を送信することなく前記第１のタイマが満了した場合に、前記上りリンク用個別リソースを解放すると共に、前記移動局に対して、前記上りリンク用個別リソースを解放するように指示する上りリンク用個別リソース解放信号を送信するように構成されていてもよい。
【００２２】
本発明の第４の特徴は、上りリンク用個別リソースを用いて移動局からの制御信号を受信する無線基地局であって、前記移動局の受信周期が、連続受信周期から第１の間欠受信周期に変更された場合に、第２のタイマを起動し、前記第２のタイマの起動後に下りリンクデータ信号を送信することなく前記第２のタイマが満了した場合に、前記移動局の受信周期を前記第１の間欠受信周期から第２の間欠受信周期に変更すると共に、前記上りリンク用個別リソースを解放するように構成されており、前記第１の間欠受信周期よりも、前記第２の間欠受信周期の方が長いことを要旨とする。
【００２３】
本発明の第４の特徴において、前記無線基地局は、前記第２のタイマの起動後に下りリンクデータ信号を送信することなく前記第２のタイマが満了した場合に、前記上りリンク用個別リソースを解放すると共に、前記移動局に対して、前記上りリンク用個別リソースを解放するように指示する上りリンク用個別リソース解放信号を送信するように構成されていてもよい。
【００２４】
本発明の第５の特徴は、上りリンク用個別リソースを用いて無線基地局に対して制御信号を送信する移動局であって、連続受信周期で動作中である場合で、かつ、下りリンクデータ信号を受信した場合に、第１のタイマを起動し、前記第１のタイマの起動後に下りリンクデータ信号を受信することなく前記第１のタイマが満了した場合に、前記移動局の受信周期を前記連続受信周期から第１の間欠受信周期に変更すると共に、前記上りリンク用個別リソースを解放するように構成されていることを要旨とする。                                                
本発明の第５の特徴において、前記移動局は、前記連続受信周期で動作中である場合に、前記無線基地局から、前記移動局に対して前記上りリンク用個別リソースを解放するように指示する上りリンク用個別リソース解放信号を受信し、前記第１のタイマの起動後に下りリンクデータ信号を受信することなく前記第１のタイマが満了した場合に、前記移動局の受信周期を前記連続受信周期から前記第１の間欠受信周期に変更し、受信した前記上りリンク用個別リソース解放信号に応じて、前記上りリンク用個別リソースを解放するように構成されていてもよい。
【００２５】
本発明の第６の特徴は、上りリンク用個別リソースを用いて送信する制御信号を生成するプロセッサであって、連続受信周期で動作中である場合で、かつ、下りリンクデータ信号を受信した場合に、第１のタイマを起動し、前記第１のタイマの起動後に下りリンクデータ信号を受信することなく前記第１のタイマが満了した場合に、下りリンクデータ信号の受信周期を前記連続受信周期から第１の間欠受信周期に変更すると共に、前記上りリンク用個別リソースを解放するように構成されていることを要旨とする。
【００２６】
本発明の第６の特徴において、前記プロセッサは、前記連続受信周期で動作中である場合に、前記上りリンク用個別リソースを解放するように指示する上りリンク用個別リソース解放信号を受信し、前記第１のタイマの起動後に下りリンクデータ信号を受信することなく前記第１のタイマが満了した場合に、前記受信周期を前記連続受信周期から前記第１の間欠受信周期に変更し、受信した前記上りリンク用個別リソース解放信号に応じて、前記上りリンク用個別リソースを解放するように構成されていてもよい。
【００２７】
本発明の第７の特徴は、上りリンク用個別リソースを用いて送信する制御信号を生成するプロセッサであって、下りリンクデータ信号の受信周期が、連続受信周期から第１の間欠受信周期に変更された場合に、第２のタイマを起動し、前記第２のタイマの起動後に下りリンクデータ信号を受信することなく前記第２のタイマが満了した場合に、前記受信周期を前記第１の間欠受信周期から第２の間欠受信周期に変更すると共に、前記上りリンク用個別リソースを解放するように構成されており、前記第１の間欠受信周期よりも、前記第２の間欠受信周期の方が長いことを要旨とする。
【００２８】
本発明の第７の特徴において、前記プロセッサは、前記第１の間欠受信周期で動作中である場合に、前記上りリンク用個別リソースを解放するように指示する上りリンク用個別リソース解放信号を受信し、前記第２のタイマの起動後に下りリンクデータ信号を受信することなく前記第２のタイマが満了した場合に、前記受信周期を前記第１の間欠受信周期から前記第２の間欠受信周期に変更し、受信した前記上りリンク用個別リソース解放信号に応じて、前記上りリンク用個別リソースを解放するように構成されていてもよい。
【００２９】
以上説明したように、本発明によれば、移動局においてＤＲＸ技術が用いられる場合であっても、他の移動局により送信される信号に対して干渉源となることを回避することができる移動通信方法、無線基地局、移動局及びプロセッサを提供することができる。
【図面の簡単な説明】
【００３０】
【図１】図１は、従来の移動通信システムにおける無線基地局と移動局との間の上りリンクにおける同期維持手順を説明するための図である。
【図２】図２は、従来の移動通信システムにおける移動局の受信周期のＤＲＸ周期への変更手順について説明するための図である。
【図３】図３は、従来の移動通信システムにおける問題点を説明するための図である。
【図４】図４は、本発明の第１の実施形態に係る移動通信システムの全体構成図である。
【図５】図５は、本発明の第１の実施形態に係る移動局の機能ブロック図である。
【図６】図６は、本発明の第１の実施形態に係る無線機地局の機能ブロック図である。
【図７】図７は、本発明の第１の実施形態に係る移動通信システムの動作を説明するための図である。
【図８】図８は、本発明の第２の実施形態に係る移動通信システムの動作を説明するための図である。
【図９】図９は、本発明の第３の実施形態に係る移動通信システムの動作を説明するための図である。
【図１０】図１０は、本発明の第４の実施形態に係る移動通信システムの動作を説明するための図である。
【図１１】図１１は、本発明の実施形態に係る移動局のハードウエア構成の一例を示す図である。
【発明を実施するための最良の形態】
【００３１】
（本発明の第１の実施形態に係る移動通信システムの構成）
図４乃至図６を参照して、本発明の第１の実施形態に係る移動通信システムの構成について説明する。【００３２】
本実施形態に係る移動通信システムは、図４に示すように、無線基地局ｅＮＢと、移動局ＵＥとを具備している。【００３３】
無線基地局ｅＮＢは、上りリンク用個別リソース（例えば、ＰＵＣＣＨ）を用いて、移動局ＵＥからの制御信号（例えば、Ｓｏｕｎｄｉｎｇ  Ｒｅｆｅｒｅｎｃｅ  Ｓｉｇｎａｌや、ＣＱＩ情報や、Ｓｃｈｅｄｕｌｉｎｇ  Ｒｅｑｕｅｓｔ）を受信し、上りリンク用共有リソース（例えば、ＵＬ-ＳＣＨ）を用いて、移動局ＵＥからの上りリンクデータ信号（例えば、ユーザデータ信号）を受信するように構成されている。【００３４】
例えば、上りリンク用個別リソースは、複数の物理チャネルによって構成されていてもよい。かかる場合、無線基地局ｅＮＢは、Ｓｏｕｎｄｉｎｇ  Ｒｅｆｅｒｅｎｃｅ  Ｓｉｇｎａｌや、ＣＱＩ情報や、Ｓｃｈｅｄｕｌｉｎｇ  Ｒｅｑｕｅｓｔを、それぞれ、別々の物理チャネルを用いて受信するように構成されていてもよい。【００３５】
また、無線基地局ｅＮＢは、下りリンク用共有リソース（例えば、ＤＬ-ＳＣＨ）を用いて、移動局ＵＥに対して下りリンクデータ信号（例えば、ユーザデータ信号）を送信するように構成されている。【００３６】
移動局ＵＥは、上りリンク用個別リソース（例えば、ＰＵＣＣＨ）を用いて、無線基地局ｅＮＢに対する制御信号（例えば、Ｓｏｕｎｄｉｎｇ  Ｒｅｆｅｒｅｎｃｅ  Ｓｉｇｎａｌや、ＣＱＩ情報や、Ｓｃｈｅｄｕｌｉｎｇ  Ｒｅｑｕｅｓｔ）を送信し、上りリンク用共有リソース（例えば、ＵＬ-ＳＣＨ）を用いて、無線基地局ｅＮＢに対する上りリンクデータ信号（例えば、ユーザデータ信号）を送信するように構成されている。【００３７】
例えば、上りリンク用個別リソースが、複数の物理チャネルによって構成されている場合、移動局ＵＥは、Ｓｏｕｎｄｉｎｇ  Ｒｅｆｅｒｅｎｃｅ  Ｓｉｇｎａｌや、ＣＱＩ情報や、Ｓｃｈｅｄｕｌｉｎｇ  Ｒｅｑｕｅｓｔを、それぞれ、別々の物理チャネルを用いて送信するように構成されていてもよい。【００３８】
また、移動局ＵＥは、下りリンク用共有リソース（例えば、ＤＬ-ＳＣＨ）を用いて、無線基地局ｅＮＢからの下りリンクデータ信号（例えば、ユーザデータ信号）を受信するように構成されている。【００３９】
図５に示すように、本実施形態に係る移動局ＵＥは、下りリンク受信部１１と、監視部１２と、上りリンク送信部１４と、同期確立部１５と、受信周期制御部１６とを具備している。【００４０】
下りリンク受信部１１は、下りリンク用共有リソース（例えば、ＤＬ-ＳＣＨ）を介して、無線基地局ｅＮＢから送信された下りリンクデータ信号（例えば、ユーザデータ信号）を受信するように構成されている。【００４１】
監視部１２は、移動局ＵＥにおける下りリンクデータ信号の受信周期が、ＤＲＸ周期である場合に、下りリンクデータ信号を受信するように規定されている受信期間において、下りリンク用制御チャネル（例えば、Ｌ１/Ｌ２  Ｃｏｎｔｒｏｌ  Ｃｈａｎｎｅｌ）を介して、当該移動局ＵＥ宛ての下りリンクデータ信号が存在することを通知するメッセージが存在するか否かについて監視するように構成されている。【００４２】
なお、かかる受信期間は、例えば、ＲＲＣシグナリングによって設定されるように構成されている。また、受信期間は、無線フレームを構成する１つのサブフレーム期間に対応してもよいし、複数のサブフレーム期間に対応してもよい。【００４３】
上りリンク送信部１４は、上りリンク用共有リソース（例えば、ＵＬ-ＳＣＨ）を介して、無線基地局ｅＮＢに対して上りリンクデータ信号（例えば、ユーザデータ信号）を送信するように構成されている。【００４４】
上りリンク送信部１４は、上りリンク用個別リソース（例えば、ＰＵＣＣＨ）を介して、無線基地局ｅＮＢに対して制御信号（例えば、Ｓｏｕｎｄｉｎｇ  Ｒｅｆｅｒｅｎｃｅ  Ｓｉｇｎａｌや、ＣＱＩ情報や、Ｓｃｈｅｄｕｌｉｎｇ  Ｒｅｑｕｅｓｔ）を送信するように構成されている。【００４５】
また、上りリンク送信部１４は、移動局ＵＥにおける下りリンクデータ信号の受信周期が、連続受信周期から第１のＤＲＸ周期（Ｓｈｏｒｔ-ＤＲＸ周期）に変更するように決定された場合に、当該移動局ＵＥに対して割り当てられている上りリンク用個別リソース（例えば、ＰＵＣＣＨ）を解放するように構成されていてもよい。【００４６】
なお、上りリンク用個別リソースが、複数の物理チャネルによって構成されている場合、上りリンク送信部１４は、全ての物理チャネルを解放するように構成されている。【００４７】
同期確立部１５は、上りリンクデータ信号の送信を再開する場合に、無線基地局ｅＮＢと移動局ＵＥとの間の上りリンクにおける同期を確立し、上りリンク用個別リソースを設定するように構成されている。【００４８】
また、同期確立部１５は、下りリンクデータ信号の送信を再開する場合に、無線基地局ｅＮＢと移動局ＵＥとの間の上りリンクにおける同期を確立し、上りリンク用個別リソースを設定するように構成されている。【００４９】
受信周期制御部１６は、移動局ＵＥにおける下りリンクデータ信号の受信周期を制御するように構成されている。【００５０】
受信周期制御部１６は、連続受信周期において、所定期間、下りリンク受信部１１によって下りリンクデータ信号が受信されない場合に、移動局ＵＥにおける下りリンクデータ信号の受信周期を、連続受信周期から第１のＤＲＸ周期（Ｓｈｏｒｔ-ＤＲＸ周期）に変更するように決定する。【００５１】
具体的には、移動局ＵＥの受信周期が、連続受信周期である場合で、かつ、受信周期制御部１６が、下りリンク用共有リソースを用いて、下りリンクデータ信号を受信した場合に、ＩｎａｃｔｉｖｅタイマＡ（第１のタイマ）を起動し、ＩｎａｃｔｉｖｅタイマＡの起動後に下りリンクデータ信号を受信することなくＩｎａｃｔｉｖｅタイマＡが満了した場合に、移動局ＵＥの受信周期を、連続受信周期から第１のＤＲＸ周期（Ｓｈｏｒｔ-ＤＲＸ周期）に変更するように決定する。【００５２】
また、受信周期制御部１６は、第１のＤＲＸ周期（Ｓｈｏｒｔ-ＤＲＸ周期）において、所定期間、下りリンク受信部１１によって下りリンクデータ信号が受信されない場合に、移動局ＵＥにおける下りリンクデータ信号の受信周期を、第１のＤＲＸ周期（Ｓｈｏｒｔ-ＤＲＸ周期）から第２のＤＲＸ周期（Ｌｏｎｇ-ＤＲＸ周期）に変更するように決定する。【００５３】
具体的には、移動局ＵＥの受信周期が、連続受信周期から第１のＤＲＸ周期（Ｓｈｏｒｔ-ＤＲＸ周期）に変更された場合に、ＩｎａｃｔｉｖｅタイマＢ（第２のタイマ）を起動し、ＩｎａｃｔｉｖｅタイマＢ（第２のタイマ）の起動後に下りリンクデータ信号を受信することなくＩｎａｃｔｉｖｅタイマＢ（第２のタイマ）が満了した場合に、移動局ＵＥの受信周期を、第１のＤＲＸ周期（Ｓｈｏｒｔ-ＤＲＸ周期）から、第２のＤＲＸ周期（Ｌｏｎｇ-ＤＲＸ周期）に変更するように決定する。【００５４】
ここで、第１のＤＲＸ周期よりも、第２のＤＲＸ周期の方が長いものとする。【００５５】
図６に示すように、本実施形態に係る無線基地局ｅＮＢは、上りリンク受信部２１と、下りリンク送信部２２と、同期確立部２４と、通知部２５と、受信周期制御部２６とを具備している。【００５６】
上りリンク受信部２１は、上りリンク用共有別リソース（例えば、ＵＬ-ＳＣＨ）を介して、移動局ＵＥから送信された上りリンクデータ信号（例えば、ユーザデータ信号）を受信するように構成されている。【００５７】
上りリンク受信部２１は、上りリンク用個別リソース（例えば、ＰＵＣＣＨ）を介して、移動局ＵＥから送信された制御信号（例えば、Ｓｏｕｎｄｉｎｇ  Ｒｅｆｅｒｅｎｃｅ  Ｓｉｇｎａｌや、ＣＱＩ情報や、Ｓｃｈｅｄｕｌｉｎｇ  Ｒｅｑｕｅｓｔ）を受信するように構成されている。【００５８】
また、上りリンク受信部２１は、移動局ＵＥにおける下りリンクデータ信号の受信周期が、連続受信周期から第１のＤＲＸ周期（Ｓｈｏｒｔ-ＤＲＸ周期）に変更するように決定された場合に、当該移動局ＵＥに対して割り当てられている上りリンク用個別リソースを解放するように構成されている。【００５９】
なお、上りリンク用個別リソースが、複数の物理チャネルによって構成されている場合、上りリンク受信部２１は、全ての物理チャネルを解放するように構成されている。【００６０】
下りリンク送信部２２は、下りリンク用共有リソース（例えば、ＤＬ-ＳＣＨ）を介して、移動局ＵＥに対して、下りリンクデータ信号（例えば、ユーザデータ信号）を送信するように構成されている。【００６１】
同期確立部２４は、上りリンクデータ信号の送信を再開する場合に、無線基地局ｅＮＢと移動局ＵＥとの間の上りリンクにおける同期を確立し、上りリンク用個別リソースを設定するように構成されている。【００６２】
また、同期確立部２４は、下りリンクデータ信号の送信を再開する場合に、無線基地局ｅＮＢと移動局ＵＥとの間の上りリンクにおける同期を確立し、上りリンク用個別リソースを設定するように構成されている。【００６３】
通知部２５は、移動局ＵＥにおける下りリンクデータ信号の受信周期が、ＤＲＸ周期である場合に、上述の受信期間において、下りリンク用制御チャネル（例えば、Ｌ１/Ｌ２  Ｃｏｎｔｒｏｌ  Ｃｈａｎｎｅｌ）を介して、当該移動局ＵＥ宛ての下りリンクデータ信号が存在することを通知するメッセージが存在することを通知するように構成されている。【００６４】
受信周期制御部２６は、移動局ＵＥにおける下りリンクデータ信号の受信周期を制御するように構成されている。【００６５】
また、受信周期制御部２６は、移動局ＵＥの受信周期が、連続受信周期である場合において、所定期間、下りリンク送信部２２によって下りリンクデータ信号を送信していない場合に、移動局ＵＥにおける下りリンクデータ信号の受信周期を、連続受信周期から第１のＤＲＸ周期（Ｓｈｏｒｔ-ＤＲＸ周期）に変更するように決定する。【００６６】
具体的には、受信周期制御部２６は、下りリンク用共有リソースを用いて、連続受信周期で動作中の移動局ＵＥに対して下りリンクデータ信号を送信した場合に、ＩｎａｃｔｉｖｅタイマＡ（第１のタイマ）を起動し、ＩｎａｃｔｉｖｅタイマＡ（第１のタイマ）の起動後に下りリンクデータ信号を送信することなくＩｎａｃｔｉｖｅタイマＡ（第１のタイマ）が満了した場合に、移動局ＵＥにおける下りリンクデータ信号の受信周期を、連続受信周期から第１のＤＲＸ周期（Ｓｈｏｒｔ-ＤＲＸ周期）に変更するように決定する。【００６７】
また、受信周期制御部２６は、移動局ＵＥの受信周期が、第１のＤＲＸ周期（Ｓｈｏｒｔ-ＤＲＸ周期）である場合において、所定期間、下りリンク送信部２２によって下りリンクデータ信号を送信していない場合に、移動局ＵＥにおける下りリンクデータ信号の受信周期を、第１のＤＲＸ周期（Ｓｈｏｒｔ-ＤＲＸ周期）から第２のＤＲＸ周期（Ｌｏｎｇ-ＤＲＸ周期）に変更するように決定する。【００６８】
具体的には、受信周期制御部２６は、移動局ＵＥの受信周期が、連続受信周期から第１のＤＲＸ周期（Ｓｈｏｒｔ-ＤＲＸ周期）に変更された場合に、ＩｎａｃｔｉｖｅタイマＢ（第２のタイマ）を起動し、ＩｎａｃｔｉｖｅタイマＢ（第２のタイマ）の起動後に下りリンクデータ信号を送信することなくＩｎａｃｔｉｖｅタイマＢ（第２のタイマ）が満了した場合に、移動局ＵＥにおける下りリンクデータ信号の受信周期を、第１のＤＲＸ周期（Ｓｈｏｒｔ-ＤＲＸ周期）から第２のＤＲＸ周期（Ｌｏｎｇ-ＤＲＸ周期）に変更するように決定する。【００６９】
なお、図５に示す移動局ＵＥ及び図６に示す無線基地局ｅＮＢを構成する機能（モジュール）の一部又は全部は、汎用プロセッサや、ＤＳＰ（Ｄｉｇｉｔａｌ  Ｓｉｇｎａｌ  Ｐｒｏｓｅｓｓｏｒ）や、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）や、ＦＰＧＡ（Ｆｉｅｌｄ  Ｐｒｏｇｒａｍｍａｂｌｅ  Ｇａｔｅ  Ａｒｒａｙ）や、ディスクリート・ゲート又はトランジスタ・ロジックや、ディスクリート・ハードウェア・コンポーネントや、これらの任意の組み合わせ等で実現されるように構成されていてもよい。【００７０】
例えば、図１１に示すように、移動局ＵＥが、無線信号処理を行うＲＦ／ＩＦユニット５１と、ベースバンド信号処理を行うプロセッサ５２と、アプリケーションを実行するＭＰＵ（Ｍｉｃｒｏ Ｐｒｏｃｅｓｓｉｎｇ Ｕｎｉｔ）５３と、ＲＡＭ（Ｒａｎｄｏｍ  Ａｃｃｅｓｓ  Ｍｅｍｏｒｙ）５４と、ＲＯＭ（Ｒｅａｄ  Ｏｎｌｙ  Ｍｅｍｏｒｙ）５５とを備える場合を例に挙げて説明する。【００７１】
かかる場合、移動局ＵＥのプロセッサ５２が、汎用プロセッサや、ＤＳＰや、ＡＳＩＣや、ＦＰＧＡや、ディスクリート・ゲート又はトランジスタ・ロジックや、ディスクリート・ハードウェア・コンポーネントや、これらの任意の組み合わせ等で構成され、図５に示す移動局ＵＥを構成する機能（モジュール）の一部又は全部を実現してもよい。なお、ここでは、移動局ＵＥを例に挙げて説明したが、無線基地局ｅＮＢが、上述した構成のプロセッサによって、図６に示す無線基地局ｅＮＢを構成する機能（モジュール）の一部又は全部を実現するように構成されていてもよい。【００７２】
ここで、汎用プロセッサは、マイクロプロセッサであってもよいし、従来のプロセッサやコントローラやマイクロコントローラやステートマシンであってもよい。【００７３】
また、プロセッサは、例えば、ＤＳＰとマイクロプロセッサとの組み合わせや、複数のマイクロプロセッサの組み合わせや、１つ又は複数のマイクロプロセッサとＤＳＰコアとの組み合わせ等、任意のコンピューティングデバイスの組み合わせとして実装されていてもよい。【００７４】
（本発明の第１の実施形態に係る移動通信システムの動作）
図７を参照して、本発明の第１の実施形態に係る移動通信システムの動作について説明する。【００７５】
図７に示すように、時刻Ｔ０ において、無線基地局ｅＮＢの下りリンク送信部２２が、下りリンク用共有リソース（例えば、ＤＬ-ＳＣＨ）を用いて下りリンクデータ信号Ｘを送信し、連続受信周期である移動局ＵＥの下りリンク受信部１１が、下りリンク用共有リソースを用いて当該下りリンクデータ信号Ｘを受信する。【００７６】
この際、無線基地局ｅＮＢの受信周期制御部２６及び移動局ＵＥの受信周期制御部１６が、ＩｎａｃｔｉｖｅタイマＡ（第１のタイマ）を起動する。                                              
その後、時刻Ｔ０ から時刻Ｔ１ までの間に、無線基地局ｅＮＢの下りリンク送信部２２が、下りリンク用共有リソースを用いて下りリンクデータ信号を送信しなかったため、時刻Ｔ１ において、ＩｎａｃｔｉｖｅタイマＡが満了する。【００７７】
この際、無線基地局ｅＮＢの受信周期制御部２６及び移動局ＵＥの受信周期制御部１６が、当該移動局ＵＥの受信周期を、連続受信周期から第１のＤＲＸ周期（Ｓｈｏｒｔ-ＤＲＸ周期）に変更するように決定し、無線基地局ｅＮＢの上りリンク受信部２１及び移動局ＵＥの上りリンク送信部１４が、上述の決定結果に応じて、当該移動局ＵＥに対して割り当てられている上りリンク用個別リソースを解放する。【００７８】
また、無線基地局ｅＮＢの受信周期制御部２６及び移動局ＵＥの受信周期制御部１６が、ＩｎａｃｔｉｖｅタイマＢ（第２のタイマ）を起動する。【００７９】
その後、時刻Ｔ１ から時刻Ｔ２ までの間に、無線基地局ｅＮＢの下りリンク送信部２２が、下りリンク用共有リソースを用いて下りリンクデータ信号を送信しなかったため、時刻Ｔ２ において、ＩｎａｃｔｉｖｅタイマＢが満了する。【００８０】
この際、無線基地局ｅＮＢの受信周期制御部２６及び移動局ＵＥの受信周期制御部１６が、当該移動局ＵＥの受信周期を、第１のＤＲＸ周期（Ｓｈｏｒｔ-ＤＲＸ周期）から第２のＤＲＸ周期（Ｌｏｎｇ-ＤＲＸ周期）に変更するように決定する。【００８１】
なお、上述の移動局ＵＥ及び無線基地局ｅＮＢの動作は、ハードウェアによって実施されてもよいし、プロセッサによって実行されるソフトウェアモジュールによって実施されてもよいし、両者の組み合わせによって実施されてもよい。【００８２】
より一般的には、ＲＲＣ、ＲＬＣ、ＭＡＣ、ＰＨＹといった無線プロトコルをサポートしたソフトウェアをプロトコルスタック（ソフトウェア）と呼び、このソフトウェアのうち、より低位のプロトコル（例えば、ＰＨＹ、ＭＡＣ）程、半導体プロセッサとしてハードウェア化される傾向にある。特に移動局ＵＥにおいては小型化、省電力化の要求から、半導体プロセッサとしてハードウェア化する傾向にある。さらに、小型基地局（フェムトセル・ＨｏｍｅｅＮＢ）においても同様な小型化、省電力化のニーズがあることから、半導体プロセッサとしてハードウェア化されてもよい。【００８３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。【００８４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ及び無線基地局ｅＮＢ内に設けられていてもよい。また、かかる記憶媒体及びプロセッサは、ディスクリートコンポーネントとして移動局ＵＥ及び無線基地局ｅＮＢ内に設けられていてもよい。【００８５】
（本発明の第１の実施形態に係る移動通信システムの作用・効果）
本発明の第１の実施形態に係る移動通信システムによれば、移動局ＵＥの受信周期が、第１のＤＲＸ周期（Ｓｈｏｒｔ-ＤＲＸ周期）或いは第２のＤＲＸ周期（Ｌｏｎｇ-ＤＲＸ周期）に変更される前に、上りリンク用個別リソースが解放されるように構成されているために、当該移動局ＵＥが、非受信周期においてＴＡコマンドを受信できないことから、上りリンクにおいて同期外れが発生したにも関らず、上りリンクデータ信号を送信してしまうという事態を回避することができる。【００８６】
（本発明の第２の実施形態に係る移動通信システム）
図８を参照して、本発明の第２の実施形態に係る移動通信システムについて説明する。以下、本発明の第２の実施形態に係る移動通信システムについて、上述の第１の実施形態に係る移動通信システムとの相違点を主として説明する。【００８７】
本実施形態に係る移動局ＵＥの上りリンク送信部１４は、移動局ＵＥにおける下りリンクデータ信号の受信周期が、第１のＤＲＸ周期（Ｓｈｏｒｔ-ＤＲＸ周期）から第２のＤＲＸ周期（Ｌｏｎｇ-ＤＲＸ周期）に変更するように決定された場合に、当該移動局ＵＥに対して割り当てられている上りリンク用個別リソース（例えば、ＰＵＣＣＨ）を解放するように構成されていている。【００８８】
また、本実施形態に係る無線基地局ｅＮＢの上りリンク受信部２１は、移動局ＵＥにおける下りリンクデータ信号の受信周期が、第１のＤＲＸ周期（Ｓｈｏｒｔ-ＤＲＸ周期）から第２のＤＲＸ周期（Ｌｏｎｇ-ＤＲＸ周期）に変更するように決定された場合に、当該移動局ＵＥに対して割り当てられている上りリンク用個別リソース（例えば、ＰＵＣＣＨ）を解放するように構成されていている。【００８９】
図８を参照して、本発明の第２の実施形態に係る移動通信システムの動作について説明する。【００９０】
図８に示すように、時刻Ｔ０ において、無線基地局ｅＮＢの下りリンク送信部２２が、下りリンク用共有リソースを用いて下りリンクデータ信号Ｘを送信し、連続受信周期である移動局ＵＥの下りリンク受信部１１が、下りリンク用共有リソースを用いて当該下りリンクデータ信号Ｘを受信する。【００９１】
この際、無線基地局ｅＮＢの受信周期制御部２６及び移動局ＵＥの受信周期制御部１６が、ＩｎａｃｔｉｖｅタイマＡ（第１のタイマ）を起動する。【００９２】
その後、時刻Ｔ０ から時刻Ｔ１ までの間に、無線基地局ｅＮＢの下りリンク送信部２２が、下りリンク用共有リソースを用いて下りリンクデータ信号を送信しなかったため、時刻Ｔ１ において、ＩｎａｃｔｉｖｅタイマＡが満了する。【００９３】
この際、無線基地局ｅＮＢの受信周期制御部２６及び移動局ＵＥの受信周期制御部１６が、当該移動局ＵＥの受信周期を、連続受信周期から第１のＤＲＸ周期（Ｓｈｏｒｔ-ＤＲＸ周期）に変更するように決定する。【００９４】
また、無線基地局ｅＮＢの受信周期制御部２６及び移動局ＵＥの受信周期制御部１６が、ＩｎａｃｔｉｖｅタイマＢ（第２のタイマ）を起動する。【００９５】
その後、時刻Ｔ１ から時刻Ｔ２ までの間に、無線基地局ｅＮＢの下りリンク送信部２２が、下りリンク用共有リソースを用いて下りリンクデータ信号を送信しなかったため、時刻Ｔ２ において、ＩｎａｃｔｉｖｅタイマＢが満了する。【００９６】
この際、無線基地局ｅＮＢの受信周期制御部２６及び移動局ＵＥの受信周期制御部１６が、当該移動局ＵＥの受信周期を、第１のＤＲＸ周期（Ｓｈｏｒｔ-ＤＲＸ周期）から第２のＤＲＸ周期（Ｌｏｎｇ-ＤＲＸ周期）に変更するように決定し、無線基地局ｅＮＢの上りリンク受信部２１及び移動局ＵＥの上りリンク送信部１４が、上述の決定結果に応じて、当該移動局ＵＥに対して割り当てられている上りリンク用個別リソースを解放する。【００９７】
（本発明の第３の実施形態に係る移動通信システム）
図９を参照して、本発明の第３の実施形態に係る移動通信システムについて説明する。【００９８】
以下、本発明の第３の実施形態に係る移動通信システムについて、上述の第１の実施形態に係る移動通信システムとの相違点を主として説明する。【００９９】
本実施形態に係る無線基地局ｅＮＢにおいて、ＩｎａｃｔｉｖｅタイマＡ（第１のタイマ）の起動後に下りリンクデータ信号を送信することなくＩｎａｃｔｉｖｅタイマＡ（第１のタイマ）が満了した場合に、上りリンク受信部２１が、上りリンク用個別リソースを解放すると共に、下りリンク送信部２２が、かかる移動局ＵＥに対して、下りリンク用共有リソースを用いて、上りリンク用個別リソースを解放するように指示する上りリンク用個別リソース解放信号を送信するように構成されている。【０１００】
本実施形態に係る移動局ＵＥにおいて、下りリンク受信部１１が、上述の上りリンク用個別リソース解放信号を受信した場合に、上りリンク送信部１４が、受信した上りリンク用個別リソース解放信号による指示に応じて、上りリンク用個別リソースを解放するように構成されている。【０１０１】
図９を参照して、本発明の第３の実施形態に係る移動通信システムの動作について説明する。【０１０２】
図９に示すように、時刻Ｔ０ において、無線基地局ｅＮＢの下りリンク送信部２２が、下りリンク用共有リソースを用いて下りリンクデータ信号Ｘを送信し、連続受信周期である移動局ＵＥの下りリンク受信部１１が、下りリンク用共有リソースを用いて当該下りリンクデータ信号Ｘを受信する。【０１０３】
この際、無線基地局ｅＮＢの受信周期制御部２６及び移動局ＵＥの受信周期制御部１６が、ＩｎａｃｔｉｖｅタイマＡ（第１のタイマ）を起動する。【０１０４】
その後、時刻Ｔ０ から時刻Ｔ１ までの間に、無線基地局ｅＮＢの下りリンク送信部２２が、下りリンク用共有リソースを用いて下りリンクデータ信号Ｘを送信しなかったため、時刻Ｔ１ において、ＩｎａｃｔｉｖｅタイマＡが満了する。【０１０５】
この際、無線基地局ｅＮＢの受信周期制御部２６及び移動局ＵＥの受信周期制御部１６が、当該移動局ＵＥの受信周期を、連続受信周期から第１のＤＲＸ周期（Ｓｈｏｒｔ-ＤＲＸ周期）に変更するように決定する。【０１０６】
また、無線基地局ｅＮＢの上りリンク受信部２１が、上述の決定結果に応じて、当該移動局ＵＥに対して割り当てられている上りリンク用個別リソースを解放し、無線基地局ｅＮＢの下りリンク送信部２２が、かかる移動局ＵＥに対して、下りリンク用共有リソースを用いて、上りリンク用個別リソースを解放するように指示する上りリンク用個別リソース解放信号を送信する。【０１０７】
その後、移動局ＵＥの上りリンク送信部１４が、受信した上りリンク用個別リソース解放信号による指示に応じて、上りリンク用個別リソースを解放する。【０１０８】
また、無線基地局ｅＮＢの受信周期制御部２６及び移動局ＵＥの受信周期制御部１６が、ＩｎａｃｔｉｖｅタイマＢ（第２のタイマ）を起動する。【０１０９】
その後、時刻Ｔ１ から時刻Ｔ２ までの間に、無線基地局ｅＮＢの下りリンク送信部２２が、下りリンク用共有リソースを用いて下りリンクデータ信号を送信しなかったため、時刻Ｔ２ において、ＩｎａｃｔｉｖｅタイマＢが満了する。【０１１０】
この際、無線基地局ｅＮＢの受信周期制御部２６及び移動局ＵＥの受信周期制御部１６が、当該移動局ＵＥの受信周期を、第１のＤＲＸ周期（Ｓｈｏｒｔ-ＤＲＸ周期）から第２のＤＲＸ周期（Ｌｏｎｇ-ＤＲＸ周期）に変更するように決定する。【０１１１】
（本発明の第４の実施形態に係る移動通信システム）
図１０を参照して、本発明の第４の実施形態に係る移動通信システムについて説明する。【０１１２】
以下、本発明の第４の実施形態に係る移動通信システムについて、上述の第１の実施形態に係る移動通信システムとの相違点を主として説明する。【０１１３】
本実施形態に係る無線基地局ｅＮＢにおいて、ＩｎａｃｔｉｖｅタイマＢ（第２のタイマ）の起動後に下りリンクデータ信号を送信することなくＩｎａｃｔｉｖｅタイマＢ（第２のタイマ）が満了した場合に、上りリンク受信部２１が、上りリンク用個別リソースを解放すると共に、下りリンク送信部２２が、かかる移動局ＵＥに対して、下りリンク用共有リソースを用いて、上りリンク用個別リソースを解放するように指示する上りリンク用個別リソース解放信号を送信するように構成されている。【０１１４】
本実施形態に係る移動局ＵＥにおいて、下りリンク受信部１１が、上述の上りリンク用個別リソース解放信号を受信した場合に、上りリンク送信部１４が、受信した上りリンク用個別リソース解放信号による指示に応じて、上りリンク用個別リソースを解放するように構成されている。【０１１５】
図１０を参照して、本発明の第４の実施形態に係る移動通信システムの動作について説明する。【０１１６】
図１０に示すように、時刻Ｔ０ において、無線基地局ｅＮＢの下りリンク送信部２２が、下りリンク用共有リソースを用いて下りリンクデータ信号Ｘを送信し、連続受信周期である移動局ＵＥの下りリンク受信部１１が、下りリンク用共有リソースを用いて当該下りリンクデータ信号Ｘを受信する。【０１１７】
この際、無線基地局ｅＮＢの受信周期制御部２６及び移動局ＵＥの受信周期制御部１６が、ＩｎａｃｔｉｖｅタイマＡ（第１のタイマ）を起動する。【０１１８】
その後、時刻Ｔ０ から時刻Ｔ１ までの間に、無線基地局ｅＮＢの下りリンク送信部２２が、下りリンク用共有リソースを用いて下りリンクデータ信号を送信しなかったため、時刻Ｔ１ において、ＩｎａｃｔｉｖｅタイマＡが満了する。【０１１９】
この際、無線基地局ｅＮＢの受信周期制御部２６及び移動局ＵＥの受信周期制御部１６が、当該移動局ＵＥの受信周期を、連続受信周期から第１のＤＲＸ周期（Ｓｈｏｒｔ-ＤＲＸ周期）に変更するように決定する。【０１２０】
そして、時刻Ｔ１ において、無線基地局ｅＮＢの受信周期制御部２６及び移動局ＵＥの受信周期制御部１６が、ＩｎａｃｔｉｖｅタイマＢ（第２のタイマ）を起動する。【０１２１】
その後、時刻Ｔ１ から時刻Ｔ２ までの間に、無線基地局ｅＮＢの下りリンク送信部２２が、下りリンク用共有リソースを用いて下りリンクデータ信号Ｘを送信しなかったため、時刻Ｔ２ において、ＩｎａｃｔｉｖｅタイマＢが満了する。【０１２２】
この際、無線基地局ｅＮＢの受信周期制御部２６及び移動局ＵＥの受信周期制御部１６が、当該移動局ＵＥの受信周期を、第１のＤＲＸ周期（Ｓｈｏｒｔ-ＤＲＸ周期）から第２のＤＲＸ周期（Ｌｏｎｇ-ＤＲＸ周期）に変更するように決定する。【０１２３】
また、無線基地局ｅＮＢの上りリンク受信部２１が、上述の決定結果に応じて、当該移動局ＵＥに対して割り当てられている上りリンク用個別リソースを解放し、無線基地局ｅＮＢの下りリンク送信部２２が、かかる移動局ＵＥに対して、下りリンク用共有リソースを用いて、上りリンク用個別リソースを解放するように指示する上りリンク用個別リソース解放信号を送信する。【０１２４】
その後、移動局ＵＥの上りリンク送信部１４が、受信した上りリンク用個別リソース解放信号による指示に応じて、上りリンク用個別リソースを解放する。【０１２５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。【０１２６】
なお、日本国特許出願第２００７−１１４９０１号（２００７年４月２４日出願）の全内容が、参照により、本願明細書に組み込まれている。
【産業上の利用の可能性】
【０１２７】
以上のように、本発明に係る移動通信方法、無線基地局、移動局及びプロセッサは、移動局においてＤＲＸ技術が用いられる場合であっても、他の移動局により送信される信号に対して干渉源となることを回避することができるため、移動体通信などの無線通信において有用である。
【図１】
2008133307.tif 000003
【図２】
2008133307.tif 000004
【図３】
2008133307.tif 000005
【図４】
2008133307.tif 000006
【図５】
2008133307.tif 000007
【図６】
2008133307.tif 000008
【図７】
2008133307.tif 000009
【図８】
2008133307.tif 000010
【図９】
2008133307.tif 000011
【図１０】
2008133307.tif 000012
【図１１】
2008133307.tif 000013
【手続補正書】
【提出日】平成22年2月24日(2010.2.24)
【手続補正１】
【補正対象書類名】明細書
【補正対象項目名】０００４
【補正方法】変更
【補正の内容】
【０００４】
図１に、かかる動作の一例について説明する。図１に示すように、ステップＳ１００１において、移動局ＵＥが、無線基地局ｅＮＢとの間で設定されている上りリンク用個別リソース（例えば、ＰＵＣＣＨ：Ｐｈｙｓｉｃａｌ  Ｕｐｌｉｎｋ  Ｃｏｎｔｒｏｌ  Ｃｈａｎｎｅｌ）を用いて、制御信号（Ｓｏｕｎｄｉｎｇ  Ｒｅｆｅｒｅｎｃｅ  Ｓｉｇｎａｌや、ＣＱＩ情報や、Ｓｃｈｅｄｕｌｉｎｇ  Ｒｅｑｕｅｓｔ）を送信する（非特許文献１参照）。
【手続補正２】
【補正対象書類名】明細書
【補正対象項目名】００５６
【補正方法】変更
【補正の内容】
【００５６】
上りリンク受信部２１は、上りリンク用共有リソース（例えば、ＵＬ‐ＳＣＨ）を介して、移動局ＵＥから送信された上りリンクデータ信号（例えば、ユーザデータ信号）を受信するように構成されている。
【手続補正３】
【補正対象書類名】明細書
【補正対象項目名】００８５
【補正方法】変更
【補正の内容】
【００８５】
（本発明の第１の実施形態に係る移動通信システムの作用・効果）
本発明の第１の実施形態に係る移動通信システムによれば、移動局ＵＥの受信周期が、第１のＤＲＸ周期（Ｓｈｏｒｔ‐ＤＲＸ周期）或いは第２のＤＲＸ周期（Ｌｏｎｇ‐ＤＲＸ周期）に変更される前に、上りリンク用個別リソースが解放されるように構成されているために、当該移動局ＵＥが、非受信期間においてＴＡコマンドを受信できないことから、上りリンクにおいて同期外れが発生したにも関らず、上りリンクデータ信号を送信してしまうという事態を回避することができる。
【国際調査報告】
2008133307.tif 000014
2008133307.tif 000015